(57)【要約】【課題】既設屋根の下面を天井で隠蔽するようにした屋根改修用天井において、母屋桁を支持する梁鉄骨と屋根材との間に隙間が生じないようにした施工性の良い梁鉄骨と天井材の納まり構造を提供する。【解決手段】鋼製の母屋桁１に屋根材を架設して成る既設屋根の下方に、当該既設屋根に沿って傾斜した状態に構築した屋根改修用天井Ｃにおいて、母屋桁１を支持する梁鉄骨１０，１１と母屋桁１の下部に取り付けられた天井材１６との間に、天井材１６の端部を面内方向スライド自在に差し込む嵌合部ｂが形成された廻り縁１７Ａ，１７Ｂ，１７Ｃ，１７Ｄを設けて、梁鉄骨１０，１１と天井材１６との隙間を廻り縁で閉塞する。【選択図】図１
2007303190.tif 000002
【特許請求の範囲】
【請求項１】
鋼製の母屋桁に屋根材を架設して成る既設屋根の下方に、当該既設屋根に沿って傾斜した天井を構築した屋根改修用天井において、母屋桁を支持する梁鉄骨と母屋桁の下部に取り付けられた天井材との間に、天井材の端部を面内方向スライド自在に差し込む嵌合部が形成された廻り縁を設けて、梁鉄骨と天井材との隙間を廻り縁で閉塞したことを特徴とする屋根改修用天井における梁鉄骨と天井材の納まり構造。
【請求項２】
鋼製の母屋桁に屋根材を架設して成る既設屋根の下方に、当該既設屋根に沿って傾斜した天井を構築した屋根改修用天井において、母屋桁を支持するＨ型鋼製の梁鉄骨の上フランジ部と母屋桁の下部に取り付けられた天井材との間に、上フランジ部を面内方向スライド自在に差し込む嵌合部と、天井材の端部を面内方向スライド自在に差し込む嵌合部とが形成された廻り縁を設け、梁鉄骨の上フランジ部と天井材との隙間を廻り縁で閉塞したことを特徴とする屋根改修用天井における梁鉄骨と天井材の納まり構造。
【請求項３】
Ｃ型鋼製の母屋桁に屋根材を架設して成る既設屋根の下方に、当該既設屋根に沿って傾斜した天井を構築した屋根改修用天井において、母屋桁を支持するＨ型鋼製の梁鉄骨の上フランジ部と母屋桁の下部に取り付けられた天井材との間に、天井材の端部を面内方向スライド自在に差し込む嵌合部が形成された廻り縁を、母屋桁の下側リップと係合する係止部を介して母屋桁に吊下げ支持された状態に設け、梁鉄骨の上フランジ部と天井材との隙間を廻り縁で閉塞したことを特徴とする屋根改修用天井における梁鉄骨と天井材の納まり構造。
【請求項４】
係止部が廻り縁に一体的に連設されている請求項３に記載の屋根改修用天井における梁鉄骨と天井材の納まり構造。
【請求項５】
係止部が廻り縁に対して着脱可能な金具に設けられている請求項３に記載の屋根改修用天井における梁鉄骨と天井材の納まり構造。
【発明の詳細な説明】
【技術分野】
【０００１】
本発明は、鋼製の母屋桁に屋根材（例えば折板屋根材や石綿スレート屋根材）を架設して成る既設屋根の下面を天井で隠蔽するようにした屋根改修用天井における梁鉄骨と天井材の納まり構造に関する。
【背景技術】
【０００２】
例えば、既設の石綿スレート屋根の上面を隠蔽してアスベストの封じ込めを行うようにした石綿スレート屋根の改修工法としては、特許文献１のように、鋼製の母屋桁に架設した石綿スレート屋根材を、当該母屋桁に下部を係止させたフックボルトとそれに螺合するナットとで固定した既存の石綿スレート屋根はそのままで、その上に、金属折板屋根を被せて施工する石綿スレート屋根の改修工法が既に確立している。
【０００３】
この工法は、既存石綿スレート屋根を撤去して、新たにノンアスベストスレートで仕上げる葺き替え工法に比べると、撤去時のアスベスト飛散、廃棄物処理など多くの面で優れており、また既存石綿スレート屋根の表面の汚れや劣化物を除去（高圧洗浄）して塗装で仕上げる塗装工法に比べると、耐用年数（アスベスト封じ込めの期間）において遥かに優れている。
【０００４】
しかし、この工法を石綿スレート屋根の下面が天井で覆われていない既存建屋に採用した場合、石綿スレート屋根の下面側についての何らかのアスベスト対策が必要となる。この対策としては、天井を構築することが最も有効であり、塗膜厚が薄くてアスベスト封じ込め期間が短い塗装工法よりも現実的であると考えられている。
【０００５】
しかしながら、石綿スレート屋根の下面が天井で覆われていない既存建屋に天井を構築するにあたって、例えば、特許文献２，３に見られるような一般的な工法によって天井を施工すると、次のような問題点を招来することになる。
【０００６】
第一に、石綿スレート屋根材を支持する母屋桁に吊りボルトを介して吊下げ支持された野縁受けと、それらに直交状態に取り付けた野縁とで水平な天井下地を構成し、この天井下地に天井材を取り付けて、水平な天井を構築することになるから、排水勾配の付いた石綿スレート屋根と水平な天井との間に広い天井裏空間が形成される分、建屋内の利用可能な空間が狭められることになる。
【０００７】
第二に、既存の石綿スレート屋根の上に金属折板屋根を被せて施工することによって屋根の荷重が増大しているところに、野縁受けと野縁からなる天井下地の重量が付加されることになり、大掛かりな構造補強が必要になる。
【０００８】
第三に、天井材又は天井材保持金具を野縁にビス止めすることになるので、現場でのドリルによるビス孔の加工が必要であり、ビス孔加工時の振動により粉塵が発生するので、粉塵中のアスベストの有無（アスベスト飛散）が問題となる。
【０００９】
このような問題点を踏まえて、本発明者は、鋼製の母屋桁に架設した屋根材を、当該母屋桁に下部を係止させたフックボルトとそれに螺合するナットとで固定した既設の屋根の下面を天井で隠蔽するにあたり、野縁受けと野縁からなる天井下地を不要にすると共に、母屋桁等に対するビス孔の加工を不要にして、ビス孔加工やその振動に起因する粉塵の発生やビス孔の加工による強度低下の心配をなくし、しかも、既存建屋内の利用可能な空間をさほど狭めることなく天井を容易かつ短期間に構築できるようにした屋根の改修工法を開発し、特願２００６−８２９２８として既に提案している。
【００１０】
この工法は、鋼製の母屋桁に架設した屋根材を、当該母屋桁に下部を係止させたフックボルトとそれに螺合するナットとで固定した既設の屋根の下面を天井で隠蔽する屋根の改修工法であって、前記母屋桁及び／又はフックボルトに係止する吊下げ支持用の係止部と母屋桁の長手方向に開口した天井材保持用の溝部とが形成された複数個の吊り金具と、母屋桁の長手方向に並べて配置され、隣接し合う側縁に互いに嵌合し合う雌雄の嵌合部が形成された複数枚の天井材とを使用し、係止部を母屋桁及び／又はフックボルトに引っ掛けることによって、吊り金具を母屋桁にその長手方向適当間隔おきに吊り下げ支持させ、各吊り金具の溝部に天井材の側縁を挿入して、既設の屋根に沿って傾斜した天井を構築することを特徴としている。
【００１１】
【特許文献１】特許第３４８４６３０号公報
【特許文献２】特公平６−１０３８１号公報
【特許文献３】実公平７−３４９８９号公報
【発明の開示】
【発明が解決しようとする課題】
【００１２】
ところで、上述した屋根の改修工法は、天井材として、例えば、幅方向の一側縁に雄型嵌合部が形成され、他側縁にそれに対応する雌型嵌合部が形成されているカラー鋼板製サイディング、カラー鋼板とその片面に積層した断熱材とからなるサイディング、表裏のカラー鋼板とその間に介在された断熱材とからなるサイディング等を使用する場合、それらの横幅（働き幅）や長さが何種類かに限られた規格品であっても、一般部においては、施工上、何の問題もないが、梁鉄骨との取り合い部においては、次のような問題が生じる可能性がある。
【００１３】
即ち、母屋桁は、母屋桁と直交する梁鉄骨や棟と平行な梁鉄骨で支持されているのが普通であるから、梁鉄骨のスパンによっては、横幅が一定のサイディング（天井材）を母屋桁長手方向に割り付けて行くと、梁鉄骨と端部のサイディング（天井材）との間に隙間が生じることがある。また、長さが限られた規格品サイディング（天井材）では、棟と平行な梁鉄骨とサイディング（天井材）の長手方向端部との間に隙間が生じることがある。
【００１４】
本発明は、梁鉄骨との取り合い部におけるこのような問題点を解決したものであり、天井材として、例えば、幅方向の一側縁に雄型嵌合部が形成され、他側縁にそれに対応する雌型嵌合部が形成されているカラー鋼板製サイディング、カラー鋼板とその片面に積層した断熱材とからなるサイディング、表裏のカラー鋼板とその間に介在された断熱材とからなるサイディング等を使用しても、母屋桁を支持する梁鉄骨と屋根材との間に隙間が生じないようにした施工性の良い屋根改修用天井における梁鉄骨と天井材の納まり構造を提供することを目的とする。
【課題を解決するための手段】
【００１５】
上記の目的を達成するために、本発明は、鋼製の母屋桁に屋根材を架設して成る既設屋根の下方に、当該既設屋根に沿って傾斜した天井を構築した屋根改修用天井において、母屋桁を支持する梁鉄骨と母屋桁の下部に取り付けられた天井材との間に、天井材の端部を面内方向スライド自在に差し込む嵌合部が形成された廻り縁を設けて、梁鉄骨と天井材との隙間を廻り縁で閉塞したものである。
【００１６】
具体的には、請求項２に記載の発明による屋根改修用天井における梁鉄骨と天井材の納まり構造では、鋼製の母屋桁に屋根材を架設して成る既設屋根の下方に、当該既設屋根に沿って傾斜した天井を構築した屋根改修用天井において、母屋桁を支持するＨ型鋼製の梁鉄骨の上フランジ部と母屋桁の下部に取り付けられた天井材との間に、上フランジ部を面内方向スライド自在に差し込む嵌合部と、天井材の端部を面内方向スライド自在に差し込む嵌合部とが形成された廻り縁を設け、梁鉄骨の上フランジ部と天井材との隙間を廻り縁で閉塞している。
【００１７】
請求項３に記載の発明による屋根改修用天井における梁鉄骨と天井材の納まり構造では、Ｃ型鋼製の母屋桁に屋根材を架設して成る既設屋根の下方に、当該既設屋根に沿って傾斜した天井を構築した屋根改修用天井において、母屋桁を支持するＨ型鋼製の梁鉄骨の上フランジ部と母屋桁の下部に取り付けられた天井材との間に、天井材の端部を面内方向スライド自在に差し込む嵌合部が形成された廻り縁を、母屋桁の下側リップと係合する係止部を介して母屋桁に吊下げ支持された状態に設け、梁鉄骨の上フランジ部と天井材との隙間を廻り縁で閉塞している。
【００１８】
尚、請求項３に記載の発明において、係止部としては、廻り縁に一体的に連設したものであってもよく（請求項４）、廻り縁に対して着脱可能な金具に設けたものであってよい（請求項５）。
【発明の効果】
【００１９】
上記の構成によれば、廻り縁に天井材の端部を面内方向スライド自在に差し込む嵌合部が形成されているので、母屋桁を支持する梁鉄骨と天井材の端部との間に隙間が生じるような場合であっても、嵌合部に対する天井材端部の差込み量を調整することで、上記の隙間を無くすことができる。
【００２０】
請求項２に記載の発明の構成によれば、棟と平行なＨ型鋼製の梁鉄骨の上フランジ部と母屋桁の下部に取り付けられた天井材の長手方向端部との隙間を閉塞できる。しかも、廻り縁に形成された一方の嵌合部を上フランジ部に差し込み、他方の嵌合部に天井材の端部を差し込むという溶接やビス止めが不要な単純な作業によって施工できる。
【００２１】
請求項３に記載の発明の構成によれば、母屋桁と直交するＨ型鋼製の梁鉄骨の上フランジ部と母屋桁の下部に取り付けられた天井材の側縁との隙間を閉塞できる。しかも、廻り縁に形成された嵌合部に天井材の側縁を差し込み、係止部をＣ型鋼製の母屋桁の下側リップに係合させるという溶接やビス止めが不要な単純な作業によって施工できる。
【００２２】
このように、本発明によれば、溶接やビス止めが不要な単純な作業によって、梁鉄骨と天井材との隙間を閉塞できるので、例えば、既設の石綿スレート屋根の上面を折版屋根で隠蔽してアスベストの封じ込めを行う前に、既設の石綿スレート屋根の下面を容易かつ迅速に天井で隙間なく覆うことができ、従って、折版屋根の施工時における屋内側へのアスベスト飛散を防止できることになり、アスベスト対策として極めて有効である。
【発明を実施するための最良の形態】
【００２３】
図１〜図４は、既存の石綿スレート屋根Ａはそのままで、その上に、金属折板屋根Ｂを被せて施工した既存建屋を対象にして、金属折板屋根Ｂの施工に先立って既存の石綿スレート屋根Ａの下面を屋根改修用天井Ｃで隠蔽した例を示す。石綿スレート屋根Ａは、図５に示すように、Ｃ型鋼（リップ溝形鋼）よりなる母屋桁１に架設した断面波形の石綿スレート製屋根材２を、当該母屋桁１の上側リップ部分１ａに下部を係止させたフックボルト３とそれに螺合するナット４とで固定して構成されている。金属折板屋根Ｂは、例えば、フックボルト３の上端に螺着した長ナット５によってサドル部材６を石綿スレート製屋根材２の山部に固定し、サドル部材６にビス止めした通し母屋７に折板屋根材８をボルト９で固定することによって施工される。１０は棟と平行なＨ型鋼製の梁鉄骨、１１はそれと直角な、つまり、母屋桁１と直交するＨ型鋼製の梁鉄骨であり、母屋桁１はこれらの梁鉄骨１０，１１によって支持されている。
【００２４】
そして、前記石綿スレート屋根Ａの下面を屋根改修用の天井Ｃで隠蔽して、アスベストの屋内からの封じ込めを行うにあたり、前記母屋桁１の下側リップ部分１ｂに係止する吊下げ支持用の係止部１２と母屋桁１の長手方向に開口した天井材保持用の溝部１３とが形成された複数個の吊り金具１４と、母屋桁１の長手方向に並べて配置され、隣接し合う側縁に互いに嵌合し合う雌雄の嵌合部１５ａ，１５ｂが形成された複数枚の天井材１６とを使用し、係止部１２を母屋桁１の下側リップ部分１ｂに引っ掛けることによって、吊り金具１４を母屋桁１にその長手方向適当間隔おきに吊り下げ支持させ、各吊り金具１４の溝部１３に天井材１６側縁の嵌合部１５ａ，１５ｂを挿入して、石綿スレート屋根Ａに沿って傾斜した天井Ｃを構築している。
【００２５】
天井材１６を母屋桁１に吊り金具１４で取り付けていく作業は、図２において、左側から右側へと順次一枚ずつ行われるもので、母屋桁１に引っ掛けた吊り金具１４の溝部１３に天井材１６の一側縁の嵌合部１５ａを挿入し、次の天井材１６の他側縁の嵌合部１５ｂを、前記溝部１３に先行して挿入されている嵌合部１５ａに嵌合させた後、一側縁の嵌合部１５ａを次の吊り金具１４の溝部１３に挿入するといった手順により、天井材１６を幅方向に一枚ずつ連結していくことによって行われる。この場合、吊り金具１４は、係止部１２を母屋桁１の下側リップ部分１ｂに引っ掛けた状態にあり、母屋桁１の長手方向にスライド自在であるから、吊り金具１４の溝部１３に天井材１６の一側縁の嵌合部１５ａを挿入する作業を容易に行うことができる。
【００２６】
この実施形態は、このような屋根改修用天井Ｃにおける梁鉄骨１０，１１と天井材１６の納まりを次の構造とした点に特徴がある。即ち、棟と平行なＨ型鋼製の梁鉄骨１０と天井材１６の水上側及び水下側の端部との納まり構造に関しては、図３〜図５に示すように、梁鉄骨１０の上フランジ部１０ａと母屋桁１の下部に取り付けられた天井材１６との間に、上フランジ部１０ａを面内方向スライド自在に差し込む嵌合部ａと天井材１６の端部を面内方向スライド自在に差し込む嵌合部ｂとが両側に形成された廻り縁１７Ａ，１７Ｂを設け、梁鉄骨１０の上フランジ部１０ａと天井材１６との隙間を廻り縁１７Ａ，１７Ｂで閉塞してある。
【００２７】
この場合、上フランジ部１０ａと天井材１６の隙間の幅に多少のバラツキがあっても、廻り縁１７Ａ，１７Ｂには天井材１６の端部を面内方向スライド自在に差し込む嵌合部ｂが設けられているため、天井材１６端部の差込み量を調整することによって隙間の幅のバラツキを吸収でき、隙間を閉塞できるのである。
【００２８】
施工の手順としては、嵌合部ａを上フランジ部１０ａに嵌着することによって、廻り縁１７Ａ，１７Ｂを上フランジ部１０ａに支持させ、しかる後、嵌合部ｂに天井材１６の端部を挿入してもよく、これとは逆に、先ず嵌合部ｂを天井材１６の端部に嵌着し、しかる後、嵌合部ａを上フランジ部１０ａに嵌着して、廻り縁１７Ａ，１７Ｂを上フランジ部１０ａに支持させるようにしてもよい。
【００２９】
廻り縁１７Ａ，１７Ｂは、１枚物の鉄板の折曲げ加工によって製造されたもので、図４、図５、図９に示すように、上板部１８の一側縁に、下方へ二枚重ねの状態に折り返した板部１９と、その先端から下方へ前記上フランジ部１０ａの厚み程度の間隔をあけて折り返した板部２０とを有し、板部１９，２０間に前記嵌合部ａを構成してある。板部２０の先端には、上フランジ部１０ａを差し込む際のガイドとなる折曲片２１が設けられている。また、上板部１８の他側縁には、下方へ二枚重ねの状態に折り返した板部２２と、その先端から下方へ前記天井材１６の厚み以上の間隔をあけて折り返した板部２３とを有し、板部２２，２３間に前記嵌合部ｂを構成してある。板部２３の先端には、天井材１６を差し込む際のガイドとなる折曲片２４が設けられている。
【００３０】
廻り縁１７Ａ，１７Ｂのうち、棟から離れた位置にある梁鉄骨１０と天井材１６との隙間を閉塞する廻り縁１７Ｂについては、上板部１８をフラットに形成してあるが、棟の梁鉄骨１０と天井材１６との隙間を閉塞する廻り縁１７Ａについては、図４に示すように、上板部１８が幅方向中央部において屋根の排水勾配に合致する角度に屈曲されている。
【００３１】
棟と直角な、つまり、母屋桁１と直交するＨ型鋼製の梁鉄骨１１と天井材１６の側縁（幅方向端部）との納まり構造に関しては、図２、図６に示すように、母屋桁１を支持するＨ型鋼製の梁鉄骨１１の上フランジ部１１ａと母屋桁１の下部に取り付けられた天井材１６との間に、天井材１６の端部を面内方向スライド自在に差し込む嵌合部ｂが形成された廻り縁１７Ｃを、母屋桁１の下側リップ１ｂと係合する係止部２５を介して母屋桁１に吊下げ支持された状態に設け、梁鉄骨１１の上フランジ部１１ａと天井材１６との隙間を廻り縁１７Ｃで閉塞してある。
【００３２】
この廻り縁１７Ｃは、１枚物の鉄板の折曲げ加工によって製造されたもので、図１０に示すように、先端を二枚重ねの状態に折り曲げた上板部２６と、その幅方向一端から下方へ直角に折れ曲がった板部２７と、その下端から直角に折り返された下板部２８とで断面コ字状に形成され、上板部２６と下板部２８間に前記嵌合部ｂを構成してある。下板部２８の先端には、天井材１６を差し込む際のガイドとなる折曲片２９が設けられている。前記係止部２５は、廻り縁１７Ｃに一体的に連設したもので、具体的には、上板部２６の上面にリベット止め等の手段によって固着したＬ型プレートによって形成され、Ｌ型プレートの立上がり板部を現場作業により折り曲げて、母屋桁１の下側リップ１ｂに係合させるように構成されている。図示しないが、係止部２５は、上板部２６の一部を切り起こして形成してもよい。
【００３３】
図７、図１１は、他の実施形態を示す。この実施形態は、廻り縁１７Ｃに対して着脱可能な吊り金具３０を利用して廻り縁１７Ｃを母屋桁１に吊下げ支持させるようにした点に特徴がある。吊り金具３０は１枚物の鉄板の折曲げ加工によって製造されたもので、図１１に示すように、上板部３１とその一端から下方に折曲げ連設された下板部３２と、上板部３１の一側縁から上方へ折曲連設された係止部２５とから構成され、上，下板部３１，３２間に廻り縁１７Ｃの上板部２６を差し込む溝部３３が形成されている。
【００３４】
この構成によれば、図１１に示すように、母屋桁１の下側リップ１ｂに吊り金具３０の係止部２５を引っ掛ける一方、廻り縁１７Ｃを梁鉄骨１１の上フランジ部１１ａに当て付けた状態に配置し、この状態で、吊り金具３０を下側リップ１ｂに沿ってスライドさせることにより、図７に示すように、廻り縁１７Ｃの上板部２６を吊り金具３０の溝部３３に差し込んで、廻り縁１７Ｃを母屋桁１に吊下げ支持させることができる。
【００３５】
そして、天井材１６の側縁（幅方向端部）を廻り縁１７Ｃの嵌合部ｂに差し込み、当該天井材１６の反対側の側縁（幅方向端部）に、次の天井材１６を接続すると共に、吊り金具１４を介して母屋桁１に吊下げ支持させ、この作業を図２、図６の左から右へと繰り返した後、図６に示すように、母屋桁１の下側リップ１ｂに引っ掛けた吊り金具３０によって廻り縁１７Ｃを吊下げ支持させると共に、当該廻り縁１７Ｃの嵌合部ｂに最後の天井材１６の端部を差し込んで、梁鉄骨１１と天井材１６との隙間を無くすことができる。
【００３６】
図８、図１２は、他の実施形態を示し、天井材１６の端部を面内方向スライド自在に差し込む嵌合部ｂが形成された廻り縁１７Ｄを断面Ｚ型に形成した点に特徴がある。この廻り縁１７Ｄは、１枚物の鉄板の折曲げ加工によって製造されたもので、図１２に示すように、先端が二枚重ねの状態に折り曲げられた上板部３４と、その他端から下方へ直角に折れ曲がった縦板部３５と、その下端から逆方向へ直角に折れ曲がった下板部３６とを有し、下板部３６の上部を前記嵌合部ｂに構成してある。下板部３６の先端には、天井材１６を差し込む際のガイドとなる折曲片３７が設けられている。係止部２５は、廻り縁１７Ｃに一体的に連設したもので、具体的には、上板部３４の上面にリベット止め等の手段によって固着したＬ型プレートによって形成され、Ｌ型プレートの立上がり板部を現場作業により折り曲げて、母屋桁１の下側リップ１ｂに係合させるように構成されているが、上板部３４の一部を切り起こして係止部２５を形成してもよい。
【００３７】
上記の構成によれば、廻り縁１７Ａ，１７Ｂ，１７Ｃ，１７Ｄに天井材１６の端部を面内方向スライド自在に差し込む嵌合部ｂが形成されているので、母屋桁１を支持する梁鉄骨１０，１１と天井材１６の端部との間に隙間が生じるような場合であっても、嵌合部ｂに対する天井材端部の差込み量を調整することで、上記の隙間を無くすことができる。
【００３８】
しかも、廻り縁１７Ａ，１７Ｂに形成された一方の嵌合部ａを上フランジ部１０ａに差し込み、他方の嵌合部ｂに天井材１６の端部を差し込んだり、あるいは、廻り縁１７Ｃ，１７Ｄに形成された嵌合部ｂに天井材１６の側縁を差し込み、係止部２５をＣ型鋼製の母屋桁１の下側リップ１ｂに係合させるといった溶接やビス止めが不要な単純な作業によって敏速に施工できる。
【００３９】
このように、溶接やビス止めが不要な単純な作業によって、梁鉄骨１０，１１と天井材１６との隙間を閉塞できるので、例えば、既設の石綿スレート屋根Ａの上面を折版屋根Ｂで隠蔽してアスベストの封じ込めを行う前に、既設の石綿スレート屋根Ａの下面を容易かつ迅速に天井Ｃで隙間なく覆うことができ、従って、折版屋根の施工時における屋内側へのアスベスト飛散を防止できることになり、アスベスト対策として極めて有効である。
【００４０】
尚、廻り縁１７Ａ，１７Ｂ，１７Ｃ，１７Ｄとしては、アルミの曲げ加工や押出し（引抜き）加工等によって製造したものであってもよい。
【図面の簡単な説明】
【００４１】
【図１】本発明に係る屋根改修用天井における梁鉄骨と天井材の納まり構造を説明する概略斜視図である。
【図２】母屋桁と直交方向から見た要部の概略縦断側面図である。
【図３】母屋桁の長手方向から見た棟部の概略縦断面正面図である。
【図４】要部の縦断正面図である。
【図５】要部の縦断正面図である。
【図６】要部の縦断側面図である。
【図７】他の実施形態を示す要部の縦断側面図である。
【図８】他の実施形態を示す要部の縦断側面図である。
【図９】廻り縁の斜視図である。
【図１０】廻り縁の斜視図である。
【図１１】廻り縁の他の例を示す斜視図である。
【図１２】廻り縁の他の例を示す斜視図である。
【符号の説明】
【００４２】
Ｃ  天井
ａ，ｂ  嵌合部
１  母屋桁
１０，１１  梁鉄骨
１０ａ，１１ａ  上フランジ部
１６  天井材
１７Ａ，１７Ｂ，１７Ｃ，１７Ｄ  廻り縁
【図１】
2007303190.tif 000003
【図２】
2007303190.tif 000004
【図３】
2007303190.tif 000005
【図４】
2007303190.tif 000006
【図５】
2007303190.tif 000007
【図６】
2007303190.tif 000008
【図７】
2007303190.tif 000009
【図８】
2007303190.tif 000010
【図９】
2007303190.tif 000011
【図１０】
2007303190.tif 000012
【図１１】
2007303190.tif 000013
【図１２】
2007303190.tif 000014